(57)【要約】      （修正有）【課題】ケーブルと基板との接続部分の省スペース化を図るとともに、部品点数を増加させずに、ケーブルと配線基板との電気的接続を確実にとることが可能な方法を提供する。【解決手段】プリント回路基板１０は、裏面側に設けられ端子部１１を有する半田付け面１０ａと、端子部１１に隣接するように配置され、表面から裏面に貫通する細長状の挿入孔１０ｃとを含む。また、ＦＦＣケーブル２０の端子部２１は、プリント回路基板１０の挿入孔１０ｃに挿入されるとともに、プリント回路基板１０の裏面の半田付け面１０ａの端子部１１に対して実質的に直交した状態で半田付けされ、ＦＦＣケーブル２０の補強板２２には、プリント回路基板１０の挿入孔１０ｃの長手方向の長さよりも長い抜け止め部２２ａが一体的に設けられ、補強板２２の抜け止め部２２ａは、補強板２２のＦＦＣケーブル２０の端子部２１に対応する部分から両側方に突出するように設けられている。【選択図】図２
2006228768.tif 000002
【特許請求の範囲】
【請求項１】
配線基板と、前記配線基板側に設けられた第１端子部と、前記第１端子部に電気的に接続される第２端子部および前記第２端子部の裏側に貼り付けられる補強板を先端部近傍に含むフレキシブルフラットケーブルとを備えたＤＶＤ駆動装置付きテレビジョンにおいて、
前記配線基板は、裏面側に設けられ、前記第１端子部を有する半田付け面と、前記第１端子部に隣接するように配置され、表面から裏面に貫通する細長状の挿入孔とを含み、
前記フレキシブルフラットケーブルの第２端子部は、前記配線基板の挿入孔に挿入されるとともに、前記配線基板の裏面の半田付け面の第１端子部に対して実質的に直交した状態で半田付けされており、
前記フレキシブルフラットケーブルの補強板には、前記配線基板の半田付け面の挿入孔の長手方向の長さよりも大きい長さを有する抜け止め部が一体的に設けられており、
前記補強板の抜け止め部は、前記補強板のフレキシブルフラットケーブルの第２端子部に対応する部分から両側方に突出するように設けられており、
前記フレキシブルフラットケーブルの第２端子部は、半田付け時に、前記配線基板の半田付け面に隣接する挿入孔の内部まで延びるように配置されている、ＤＶＤ駆動装置付きテレビジョン。
【請求項２】
裏面側に設けられ、第１端子部を有する半田付け面と、前記第１端子部に隣接するように配置され、表面から裏面に貫通する細長状の挿入孔とを含む配線基板と、
前記配線基板の半田付け面の第１端子部に電気的に接続される第２端子部と、前記第２端子部の裏側に貼り付けられる補強板とを先端部近傍に含む平坦なフィルム状の配線を有するフレキシブルケーブルとを備え、
前記フレキシブルケーブルの第２端子部は、前記配線基板の挿入孔に挿入されるとともに、前記配線基板の裏面の半田付け面の第１端子部に対して実質的に直交した状態で半田付けされており、
前記フレキシブルケーブルの補強板には、前記配線基板の挿入孔の長手方向の長さよりも大きい長さを有する抜け止め部が一体的に設けられている、ケーブルと配線基板との接続構造。
【請求項３】
前記補強板の抜け止め部は、前記補強板のフレキシブルケーブルの第２端子部に対応する部分から両側方に突出するように設けられている、請求項２に記載のケーブルと配線基板との接続構造。
【請求項４】
前記フレキシブルケーブルの第２端子部は、半田付け時に、前記配線基板の半田付け面に隣接する挿入孔の内部まで延びるように配置されている、請求項２または３に記載のケーブルと配線基板との接続構造。
【請求項５】
請求項２〜４いずれか１項に記載のケーブルと配線基板との接続構造を含む、ＤＶＤ駆動装置。
【発明の詳細な説明】
【技術分野】
【０００１】
この発明は、ケーブルと配線基板との接続構造、ＤＶＤ駆動装置およびＤＶＤ駆動装置付きテレビジョンに関する。
【背景技術】
【０００２】
従来、ケーブルと配線基板との接続構造が種々提案されている（たとえば、特許文献１参照）。
【０００３】
上記特許文献１には、主プリント基板および補助プリント基板に対して、ケーブルがコネクタを介して電気的に接続された電子部品取付装置が開示されている。
【０００４】
また、従来、平坦なフィルム状の配線を有するフレキシブルケーブルの一例としてのフレキシブルフラットケーブル（ＦＦＣ）と配線基板との接続構造が知られている。図１３は、従来のフレキシブルフラットケーブルと配線基板との接続構造を示した斜視図である。図１４は、図１３に示した従来のフレキシブルフラットケーブルと配線基板との接続構造の分解斜視図である。図１５は、図１３に示した従来のフレキシブルフラットケーブルと配線基板との接続構造の平面図である。図１６は、図１３に示した従来のフレキシブルフラットケーブルと配線基板との接続構造の底面図である。まず、図１３〜図１６を参照して、従来の一例によるＦＦＣケーブル１２０とプリント回路基板１１０との接続構造について説明する。
【０００５】
従来のＦＦＣケーブル１２０とプリント回路基板１１０との接続構造では、図１３に示すように、プリント回路基板１１０に対して、コネクタ１３０を介して、屈曲性を有するＦＦＣケーブル１２０が電気的に接続されている。また、プリント回路基板１１０では、裏面側に半田付け面１１０ａが設けられているとともに、表面１１０ｂ側にコネクタ１３０が取り付けられている。また、プリント回路基板１１０のコネクタ１３０が取り付けられる位置には、コネクタ１３０の端子部１３１ａの各端子に対応する複数の貫通孔（図示せず）が設けられている。また、ＦＦＣケーブル１２０の先端部１２０ａには、端子部２１１と、端子部２１１の裏側に貼り付けられる補強板１２２とが設けられている。ＦＦＣケーブル１２０の先端部１２０ａの端子部２１１は、プリント回路基板１１０の表面１１０ａに取り付けられたコネクタ１３０の差込口１３１に差し込まれることにより、差込口１３１の端子部１３１ａに電気的に接続される。コネクタ１３０の端子部１３１ａは、図１６に示すように、プリント回路基板１１０の貫通孔を介してプリント回路基板１１０の裏面側まで突出するように設けられている。そして、コネクタ１３０の端子部１３１ａは、図１６に示すように、プリント回路基板１１０の半田付け面１１０ａに２列に配置された状態で半田１４０を用いて半田付けされる。これにより、コネクタ１３０の端子部１３１ａは、プリント回路基板１１０に電気的に接続される。また、ＦＦＣケーブル１２０の補強板１２２は、ＦＦＣケーブル１２０の先端部１２０ａを補強する機能を有する。これにより、屈曲性を有するＦＦＣケーブル１２０の先端部１２０ａが湾曲することに起因して、ＦＦＣケーブル１２０の先端部１２０ａがコネクタ１３０の差込口１３１に差し込みにくくなるのを抑制することが可能になる。
【０００６】
また、従来、硬質基板に対してフレキシブルプリント回路基板（ＦＰＣ）を接続する構造も知られている（特許文献２〜５参照）。
【０００７】
上記特許文献２には、フレキシブル基板（フレキシブルプリント回路基板）と、フレキ
シブル基板に予め貼りつけられた子基板とを、マザー基板に設けられたスリットに差し込んだ状態で、フレキシブル基板の半田付け端子および子基板の半田付け端子と、マザー基板の半田付け端子とを、マザー基板の表面側で半田付けしたフレキシブル基板の取付構造が開示されている。
【０００８】
また、上記特許文献３には、フレキシブルプリント配線基板（フレキシブルプリント回路基板）が挿入された硬質プリント基板の貫通孔に、固定部材を圧入することにより、半田接合をすることなく、硬質プリント基板の導体回路とフレキシブル配線基板の導体とを電気的に接続させる硬質プリント基板とフレキシブル配線基板との接続構造が開示されている。
【０００９】
また、上記特許文献４には、硬質プリント回路基板の半田付け面に設けられた凹状の係合受部にフレキシブルプリント回路基板の凸状の係合板を嵌合させることにより、硬質プリント回路基板の半田付け面に対してフレキシブルプリント回路基板を水平方向に接触させた状態で半田付けを行うことが可能なフレキシブルプリント回路基板と硬質プリント回路基板との接続構造が開示されている。
【００１０】
また、上記特許文献５には、フレキシブル回路基板の接点部分をキーボード基板のスリットに挿入して折り曲げた後、キーボード基板の引き出し用接点とを接触させた状態で、ゴムチューブを介して押え具を用いて、キーボード基板の引き出し用接点にフレキシブル回路基板の接点部分を圧着することにより、フレキシブル回路基板とキーボード基板とを電気的に接続する印刷回路基板が開示されている。
【特許文献１】特開平１１−２５１７６９号公報
【特許文献２】実用新案登録第３０３３６５５号公報
【特許文献３】特開２００２−２０８７７３号公報
【特許文献４】特開平１０−２０９５９４号公報
【特許文献５】特開平７−２８３５０４号公報
【発明の開示】
【発明が解決しようとする課題】
【００１１】
図１３〜図１６に示した従来のＦＦＣケーブル１２０とプリント回路基板１１０との接続構造では、プリント回路基板１１０に対してコネクタ１３０を介してＦＦＣケーブル１２０を電気的に接続するので、コネクタ１３０の分だけ部品点数が増加するという問題点があった。また、コネクタ１３０を用いているために、プリント回路基板１１０の表面側のＦＦＣケーブルの接続部分のスペース（平面積）が大きくなるので、プリント回路基板１１０に対するＦＦＣケーブル１２０の接続部分の省スペース化を図るのが困難であるという問題点もあった。また、従来のコネクタ１３０にＦＦＣケーブル１２０を差し込む構造では、ＦＦＣケーブル１２０に引っ張り力が加わった場合、ＦＦＣケーブル１２０がコネクタ１３０から外れる場合があった。この場合には、プリント回路基板１１０に対するＦＦＣケーブル１２０の電気的接続がとれなくなるという問題点もあった。
【００１２】
また、上記特許文献１に開示された電子部品取付装置では、主プリント基板または補助プリント基板に対してコネクタを介してケーブルを電気的に接続するので、基板に対してケーブルを接続する構造において、コネクタの分だけ、部品点数が増加するという問題点がある。また、基板に対するケーブルの接続部分のスペースがコネクタの分だけ大きくなるので基板に対するケーブルの接続部分の省スペース化を図るのが困難であるという問題点もある。
【００１３】
また、上記特許文献２に開示されたフレキシブル基板の取付構造では、フレキシブル基
板に引っ張り力が加わった際に、マザー基板とフレキシブル基板および子基板との半田付け部に大きな応力が加わりやすいため、半田付け部が破断されてマザー基板とフレキシブル基板および子基板との電気的接続をとるのが困難になる場合があるという問題点がある。
【００１４】
また、上記特許文献３に開示された硬質プリント基板とフレキシブル配線基板との接続構造では、フレキシブルプリント配線基板に引っ張り力が加わった場合に、固定部材が硬質プリント基板の貫通孔から抜け、硬質プリント基板に対するフレキシブル基板の位置がずれる場合があると考えられる。この場合、硬質プリント基板の導体回路とフレキシブル配線基板導体との電気的接続がとれなくなるという問題点がある。
【００１５】
また、上記特許文献４に開示されたフレキシブルプリント回路基板と硬質プリント回路基板との接続構造では、硬質プリント回路基板の半田付け面に対して水平方向にフレキシブルプリント回路基板を接続するので、硬質プリント回路基板に対するフレキシブルプリント回路基板の接続部分のスペース（平面積）が大きくなり、その結果、硬質プリント回路基板に対するフレキシブルプリント回路基板の接続部分の省スペース化を図るのが困難であるという問題点がある。
【００１６】
また、上記特許文献５に開示された印刷回路基板では、キーボード基板に対してゴムチューブを介して押え具によって、フレキシブル回路基板を圧着するので、ゴムチューブおよび押え具の分だけ、部品点数が増加するという問題点がある。また、特許文献５では、フレキシブル回路基板の接点部分を折り曲げた状態でキーボード基板の引き出し用接点に接触させるので、その折り曲げ部分の面積分だけ、フレキシブル回路基板とキーボード基板との接続部分のスペース（平面積）が大きくなり、その結果、省スペース化を図るのが困難になるという問題点がある。
【００１７】
この発明は、上記のような課題を解決するためになされたものであり、この発明の１つの目的は、ケーブルと基板との接続部分の省スペース化を図るとともに、部品点数を増加させずに、ケーブルと配線基板との電気的接続を確実にとることが可能なケーブルと配線基板との接続構造、ＤＶＤ駆動装置およびＤＶＤ駆動装置付きテレビジョンを提供することである。
【課題を解決するための手段】
【００１８】
上記目的を達成するために、この発明の第１の局面におけるＤＶＤ駆動装置付きテレビジョンは、配線基板と、配線基板側に設けられた第１端子部と、第１端子部に電気的に接続される第２端子部および第２端子部の裏側に貼り付けられる補強板を先端部近傍に含むフレキシブルフラットケーブルとを備えたＤＶＤ駆動装置付きテレビジョンにおいて、配線基板は、裏面側に設けられ、第１端子部を有する半田付け面と、第１端子部に隣接するように配置され、表面から裏面に貫通する細長状の挿入孔とを含み、フレキシブルフラットケーブルの第２端子部は、配線基板の挿入孔に挿入されるとともに、配線基板の裏面の半田付け面の第１端子部に対して実質的に直交した状態で半田付けされており、フレキシブルフラットケーブルの補強板には、配線基板の半田付け面の挿入孔の長手方向の長さよりも大きい長さを有する抜け止め部が一体的に設けられており、補強板の抜け止め部は、補強板のフレキシブルフラットケーブルの第２端子部に対応する部分から両側方に突出するように設けられており、フレキシブルフラットケーブルの第２端子部は、半田付け時に、配線基板の半田付け面に隣接する挿入孔の内部まで延びるように配置されている。
【００１９】
この発明の第１の局面によるＤＶＤ駆動装置付きテレビジョンでは、上記のように、フレキシブルフラットケーブルの補強板に、半田付け面の挿入孔の長手方向の長さよりも大きい長さを有する抜け止め部を設けることによって、フレキシブルフラットケーブルに引
っ張り力が加わった際に、補強板の抜け止め部により、半田付け面の挿入孔からフレキシブルフラットケーブルが抜けるのを抑制することができる。すなわち、フレキシブルフラットケーブルに対する引っ張り力を抜け止め部により受け止めることができる。これにより、フレキシブルフラットケーブルに引っ張り力が加わった際に、配線基板の半田付け面の第１端子部に半田付けされるフレキシブルフラットケーブルの第２端子部に応力が加わるのを抑制することができる。その結果、半田付け面の第１端子部とフレキシブルフラットケーブルの第２端子部とを電気的に接続する半田が破損するのを抑制することができるので、配線基板の半田付け面とフレキシブルフラットケーブルとの電気的接続を確実にとることができる。この場合、補強板に抜け止め部を一体的に設けることによって、抜け止め部を設けたとしても、部品点数が増加することがない。また、フレキシブルフラットケーブルの第２端子部を、配線基板の半田付け面の第１端子部を直接半田付けすることによって、コネクタが不要になるので、この点でも部品点数の増加を抑制することができる。また、コネクタが不要になるので、その分、配線基板に対するフレキシブルフラットケーブルの接続部分の平面積を小さくすることができ、その結果、省スペース化を図ることができる。また、フレキシブルフラットケーブルの補強板に、配線基板の半田付け面の挿入孔の長手方向の長さよりも大きい長さを有する抜け止め部を設けることによって、補強板の抜け止め部を半田付け面の挿入孔に引っ掛けた状態で、半田付け面の第１端子部にフレキシブルフラットケーブルの第２端子部を半田付けすることができる。これにより、半田付け面の第１端子部に対してフレキシブルフラットケーブルの第２端子部を手で固定して半田付けする場合に比べて、容易に、半田付け面の第１端子部にフレキシブルフラットケーブルの第２端子部を半田付けすることができる。また、フレキシブルフラットケーブルの第２端子部を、半田付け面の第１端子部に対して実質的に直交した状態で半田付けすることによって、配線基板の半田付け面に対してフレキシブルフラットケーブルが線状に接触させた状態で半田付けすることができる。これにより、配線基板の半田付け面に対してフレキシブルフラットケーブルを面状に接触させた状態で半田付けする場合に比べて、半田付け部のスペース（平面積）を小さくすることができるので、半田付け部の省スペース化をより図ることができる。
【００２０】
また、第１の局面では、補強板の抜け止め部を、補強板のフレキシブルフラットケーブルの第２端子部に対応する部分から両側方に突出するように設けることによって、抜け止め部をフレキシブルフラットケーブルの第２端子部の一方の側面のみに突出するように設ける場合に比べて、フレキシブルフラットケーブルに対する引っ張り力を抜け止め部により、より充分に受け止めることができる。これにより、フレキシブルフラットケーブルの第２端子部に応力が加わるのをより抑制することができる。また、フレキシブルフラットケーブルの第２端子部を、半田付け時に、配線基板の半田付け面に隣接する挿入孔の内部まで延びるように配置することによって、その半田付け面の挿入孔の内部まで延びるように配置されているフレキシブルフラットケーブルの第２端子部を、配線基板の半田付け面の第１端子部に対して半田付けする際に、半田付け面の挿入孔とフレキシブルフラットケーブルの第２端子部との間の隙間を半田により埋め込むことができる。これにより、半田付け面の挿入孔とフレキシブルフラットケーブルとの間の隙間に起因して、配線基板の挿入孔に対してフレキシブルフラットケーブルが動くのを抑制することができる。このため、配線基板の挿入孔内でフレキシブルフラットケーブルが動くことに起因して半田付け部に応力が加わるのを抑制することができる。
【００２１】
この発明の第２の局面におけるケーブルと配線基板との接続構造は、裏面側に設けられ、第１端子部を有する半田付け面と、第１端子部に隣接するように配置され、表面から裏面に貫通する細長状の挿入孔とを含む配線基板と、配線基板の半田付け面の第１端子部に電気的に接続される第２端子部と、第２端子部の裏側に貼り付けられる補強板とを先端部近傍に含む平坦なフィルム状の配線を有するフレキシブルケーブルとを備え、フレキシブルケーブルの第２端子部は、配線基板の挿入孔に挿入されるとともに、基板の裏面の半田
付け面の第１端子部に対して実質的に直交した状態で半田付けされており、フレキシブルケーブルの補強板には、配線基板の挿入孔の長手方向の長さよりも大きい長さを有する抜け止め部が一体的に設けられている。
【００２２】
この発明の第２の局面によるケーブルと配線基板との接続構造では、上記のように、フレキシブルケーブルの補強板に、半田付け面の挿入孔の長手方向の長さよりも大きい長さを有する抜け止め部を設けることによって、フレキシブルケーブルに引っ張り力が加わった際に、補強板の抜け止め部により、半田付け面の挿入孔からフレキシブルケーブルが抜けるのを抑制することができる。すなわち、フレキシブルケーブルに対する引っ張り力を抜け止め部により受け止めることができる。これにより、フレキシブルケーブルに引っ張り力が加わった際に、配線基板の半田付け面の第１端子部に半田付けされるフレキシブルケーブルの第２端子部に応力が加わるのを抑制することができる。その結果、半田付け面の第１端子部とフレキシブルケーブルの第２端子部とを電気的に接続する半田が破損するのを抑制することができるので、配線基板の半田付け面とフレキシブルケーブルとの電気的接続を確実にとることができる。この場合、補強板に抜け止め部を一体的に設けることによって、抜け止め部を設けたとしても、部品点数が増加することがない。また、フレキシブルケーブルの第２端子部を、配線基板の半田付け面の第１端子部を直接半田付けすることによって、コネクタが不要になるので、この点でも部品点数の増加を抑制することができる。また、コネクタが不要になるので、その分、配線基板に対するフレキシブルケーブルの接続部分の平面積を小さくすることができ、その結果、省スペース化を図ることができる。また、フレキシブルケーブルの補強板に、配線基板の半田付け面の挿入孔の長手方向の長さよりも大きい長さを有する抜け止め部を設けることによって、補強板の抜け止め部を半田付け面の挿入孔に引っ掛けた状態で、半田付け面の第１端子部にフレキシブルケーブルの第２端子部を半田付けすることができる。これにより、半田付け面の第１端子部に対してフレキシブルケーブルの第２端子部を手で固定して半田付けする場合に比べて、容易に、半田付け面の第１端子部にフレキシブルケーブルの第２端子部を半田付けすることができる。また、フレキシブルケーブルの第２端子部を、半田付け面の第１端子部に対して実質的に直交した状態で半田付けすることによって、配線基板の半田付け面に対してフレキシブルケーブルが線状に接触させた状態で半田付けすることができる。これにより、配線基板の半田付け面に対してフレキシブルケーブルを面状に接触させた状態で半田付けする場合に比べて、半田付け部のスペース（平面積）を小さくすることができるので、半田付け部の省スペース化をより図ることができる。
【００２３】
上記第２の局面によるケーブルと配線基板との接続構造において、好ましくは、補強板の抜け止め部は、補強板のフレキシブルケーブルの第２端子部に対応する部分から両側方に突出するように設けられている。このように構成すれば、抜け止め部をフレキシブルケーブルの第２端子部の一方の側面のみに突出するように設ける場合に比べて、フレキシブルケーブルに対する引っ張り力を抜け止め部により、より充分に受け止めることができる。これにより、フレキシブルケーブルの第２端子部に応力が加わるのをより抑制することができる。
【００２４】
上記第２の局面によるケーブルと配線基板との接続構造において、好ましくは、フレキシブルケーブルの第２端子部は、半田付け時に、配線基板の半田付け面に隣接する挿入孔の内部まで延びるように配置されている。このように構成すれば、その半田付け面の挿入孔の内部まで延びるように配置されているフレキシブルケーブルの第２端子部を、配線基板の半田付け面の第１端子部に対して半田付けする際に、半田付け面の挿入孔とフレキシブルケーブルの第２端子部との間の隙間を半田により埋め込むことができる。これにより、半田付け面の挿入孔とフレキシブルケーブルとの間の隙間に起因して、配線基板の挿入孔に対してフレキシブルケーブルが動くのを抑制することができる。このため、配線基板の挿入孔内でフレキシブルケーブルが動くことに起因して半田付け部に応力が加わるのを
抑制することができる。
【００２５】
この発明の第３の局面によるＤＶＤ駆動装置は、上記したいずれかの構成を有するケーブルと配線基板との接続構造を含む。このように構成すれば、ケーブルと基板との接続部分の省スペース化を図るとともに、部品点数を増加させずに、ケーブルと配線基板との電気的接続を確実にとることが可能なケーブルと配線基板との接続構造を含むＤＶＤ駆動装置を得ることができる。
【発明を実施するための最良の形態】
【００２６】
以下、本発明の実施形態を図面に基づいて説明する。
【００２７】
図１は、本発明の一実施形態によるフレキシブルフラットケーブルと配線基板との接続構造の構成を示した斜視図であり、図２は、図１に示した一実施形態によるフレキシブルフラットケーブルと配線基板との接続構造をＰ方向から見た斜視図である。図３〜図８は、図１に示した一実施形態によるフレキシブルフラットケーブルと配線基板との接続構造の詳細を説明するための図である。まず、図１〜図８を参照して、本発明の一実施形態によるフレキシブルフラットケーブル（ＦＦＣケーブル）２０とプリント回路基板（配線基板）１０との接続構造について説明する。
【００２８】
本発明の一実施形態によるＦＦＣケーブル２０と配線基板１０との接続構造では、図１および図２に示すように、プリント回路基板１０に対して、屈曲性を有する約０．１５ｍｍの厚みを有するＦＦＣケーブル２０が直接取り付けられている。なお、このＦＦＣケーブル２０は、「平坦なフィルム状の配線を有するフレキシブルケーブル」の一例である。また、プリント回路基板１０では、図３に示すように、裏面側に端子部１１が設けられた半田付け面１０ａが配置されている。また、プリント回路基板１０には、図４に示すように、半田付け面１０ａの端子部１１に隣接するように、基板１０の表面１０ｂから裏面（半田付け面）１０ａに貫通する細長状（スリット状）の挿入孔１０ｃが設けられている。この挿入孔１０ｃの短手方向の幅は、約０．７ｍｍである。このプリント回路基板１０の挿入孔１０ｃに、ＦＦＣケーブル２０が挿入される。なお、端子部１１は、本発明の「第１端子部」の一例である。また、ＦＦＣケーブル２０の先端部２０ａには、図６に示すように、端子部２１と、端子部２１の裏側に貼り付けられる補強板２２とが設けられている。なお、端子部２１は、本発明の「第２端子部」の一例である。このＦＦＣケーブル２０の補強板２２は、約０．３ｍｍの厚みを有するポリエステルから形成されているととともに、ＦＦＣケーブル２０の先端部２０ａを補強する機能を有する。
【００２９】
ここで、本実施形態では、ＦＦＣケーブル２０の端子部２１は、図６に示すように、半田付け面１０ａの端子部１１に対して直交した状態で、半田４０が半田付けされている。また、ＦＦＣケーブル２０の補強板２２には、図７に示すように、抜け止め部２２ａが一体的に設けられている。この補強板２２の抜け止め部２２ａは、図７に示すように、半田付け面１０ａの挿入孔１０ｃの長手方向（図７のＸ方向）の長さＬ１よりも大きい長さＬ２を有する。また、補強板２２の抜け止め部２２ａは、図８に示すように、ＦＦＣケーブル２０の端子部２１に対応する部分から両側方に突出するように設けられている。また、ＦＦＣケーブル２０の端子部２１は、図６に示すように、半田付け時に、プリント回路基板１０の挿入孔１０ｃの内部まで延びるように配置されている。また、抜け止め部２２ａは、図８に示すように、プリント回路基板１０の挿入孔１０ｃの隣接する領域に当接する当接部２２ｂを有する。また、抜け止め部２２ａの当接部２２ｂからＦＦＣケーブル２０の先端部２０ａまでの長さＤ１は、ＦＦＣケーブル２０の端子部２１の長さＤ２よりも小さい長さを有する。これにより、半田付け面１０ａの端子部１１にＦＦＣケーブル２０の端子部２１を、抜け止め部２２ａの当接部２２ｂを当接させた状態で半田付けする際に、ＦＦＣケーブル２０の先端部２０ａに設けられるＦＦＣケーブル２０の端子部２１を、半
田付け面１０ａの挿入孔１０ｃの内部まで延びるように配置することが可能になる。また、プリント回路基板１０の半田付け面１０ａの端子部１１は、一列に配置されている。これにより、端子部１１を２列で形成する場合に比べて、端子部１１の平面積を小さくすることが可能になる。
【００３０】
次に、本発明の図１〜図８に示した本実施形態によるフレキシブルフラットケーブルと配線基板との接続構造を、たとえば、ＤＶＤ駆動装置付きテレビジョンに適用した場合について説明する。図９は、図１に示したＦＦＣケーブルとプリント回路基板との接続構造を含むＤＶＤ駆動装置付きテレビジョンを示した斜視図であり、図１０は、図９に示したＤＶＤ駆動装置付きテレビジョンの分解斜視図である。図１１および図１２は、図９に示したＤＶＤ駆動装置付きテレビジョンの構造の詳細を説明するための図である。
【００３１】
このＤＶＤ駆動装置付きテレビジョン５０は、図９および図１０に示すように、ＤＶＤ駆動装置付きテレビジョン５０の外枠を構成するフロントキャビネット５１およびリアキャビネット５２と、フロントキャビネット５１に嵌め込まれた表示部５３と、ＤＶＤ駆動装置付きテレビジョン５０の制御用のメイン配線基板５４と、メイン配線基板５４を支持する樹脂製のホルダ５５と、保持部材５６と、保持部材５６に取り付けられる本実施形態によるプリント回路基板１０と、ＤＶＤ（図示せず）を駆動させるためのＤＶＤ駆動装置５７と、ＤＶＤ駆動装置５７の制御用のＤＶＤ用配線基板５８とを備える。ここで、図１０に示したＤＶＤ駆動装置付きテレビジョン５０では、プリント回路基板１０に２つのＦＦＣケーブル２０が直接取り付けられている。この場合のＦＦＣケーブル２０のプリント回路基板１０に対する接続構造は、図１〜図８に示した接続構造と同様である。
【００３２】
また、フロントキャビネット５１には、図１０に示すように、表示部５３を嵌め込むための表示窓５１ａと、ＤＶＤを挿入するためのＤＶＤ挿入口５１ｂと、メイン配線基板５４を支持するレール部５１ｃと、ホルダ５５を支持するレール部５１ｄとが設けられている。また、メイン配線基板５４には、ＦＦＣケーブル２０の端子部２１が差し込まれるコネクタ５４ａと、後述するホルダ５５の支柱５５ａおよび５５ｂを挿入するための支柱挿入孔５４ｂとが設けられている。
【００３３】
また、ホルダ５５には、支柱挿入孔５４ｂに対応する箇所に支柱５５ａおよび５５ｂが、それぞれ２個所ずつ設けられている。この支柱５５ａおよび５５ｂは、ＤＶＤ駆動装置５７を支持する機能を有する。また、ホルダ５５の支柱５５ａおよび５５ｂには、それぞれ、ねじ孔５５ｃとねじ孔５５ｄとが設けられている。また、ホルダ５５の支柱５５ａおよび５５ｂには、支柱５５ａおよび支柱５５ｂに載置される保持部材５６の位置決め（回り止め）をする位置決め部５５ｅが設けられている。
【００３４】
また、保持部材５６は、ねじ挿入孔５６ａおよび５６ｂとを有する。また、保持部材５６のねじ挿入孔５６ａと、後述するプリント回路基板１０のねじ挿入孔１０ｃとが、図１１に示すように、ねじ６１により締め付けられることにより、プリント回路基板１０が保持部材５６に固定される。また、図１０に示すように、ＤＶＤ駆動装置５７には、ホルダ５５の支柱５５ａおよび５５ｂのねじ孔５５ｃおよび５５ｄに対応する位置にねじ挿入孔５７ａおよび５７ｂが設けられている。このＤＶＤ駆動装置５７のねじ挿入孔５７ａおよび保持部材５６のねじ挿入孔５６ｂを介して、支柱５５ａおよび５５ｂのねじ孔５５ｃおよび５５ｄにねじ６２を締め付けることにより、図１２に示すように、ＤＶＤ駆動装置５７および保持部材５６がホルダ５５に取り付けられている。また、ＤＶＤ配線基板５８には、ＦＦＣケーブル２０の端子部２１が差し込まれるコネクタ５８ａが設けられている。すなわち、図１２に示した例では、本実施形態による２本のＦＦＣケーブル２０が直接接続されるプリント回路基板１０は、メイン基板５４とＤＶＤ用基板５８との間の中継基板として機能する。したがって、プリント回路基板１０に一方端が接続される２本のＦＦＣ
ケーブル２０の他方端は、それぞれ、メイン基板５４のコネクタ５４ａおよびＤＶＤ用基板５８のコネクタ５８ａに差し込まれる。
【００３５】
本実施形態では、上記のように、ＦＦＣケーブル２０の補強板２２に、半田付け面１０ａの挿入孔１０ｃの長手方向の長さＬ１よりも大きい長さＬ２を有する抜け止め部２２ａを設けることによって、ＦＦＣケーブル２０に引っ張り力が加わった際に、補強板２２の抜け止め部２２ａにより、半田付け面１０ａの挿入孔１０ｃからＦＦＣケーブル２０が抜けるのを抑制することができる。すなわち、ＦＦＣケーブル２０に対する引っ張り力を抜け止め部２２ａにより受け止めることができる。これにより、ＦＦＣケーブル２０に引っ張り力が加わった際に、配線基板１０の半田付け面１０ａの端子部１１に半田付けされるＦＦＣケーブル２０の端子部２１に応力が加わるのを抑制することができる。その結果、半田付け面１０ａの端子部１１とＦＦＣケーブル２０の端子部２１とを電気的に接続する半田が破損するのを抑制することができるので、配線基板１０の半田付け面１０ａとＦＦＣケーブル２０との電気的接続を確実にとることができる。この場合、補強板２２に抜け止め部２２ａを一体的に設けることによって、抜け止め部２２ａを設けたとしても、部品点数が増加することがない。
【００３６】
また、本実施形態では、ＦＦＣケーブル２０の端子部２１を、配線基板１０の半田付け面１０ａの端子部１１を直接半田付けすることによって、コネクタが不要になるので、この点でも部品点数の増加を抑制することができる。また、コネクタが不要になるので、その分、配線基板１０に対するＦＦＣケーブル２０の接続部分の平面積を小さくすることができ、その結果、省スペース化を図ることができる。
【００３７】
また、本実施形態では、ＦＦＣケーブル２０の補強板２２に、配線基板１０の半田付け面１０ａの挿入孔１０ｃの長手方向の長さＬ１よりも大きい長さＬ２を有する抜け止め部２２ａを設けることによって、補強板２２の抜け止め部２２ａを半田付け面１０ａの挿入孔１０ｃに引っ掛けた状態で、半田付け面１０ａの端子部１１にＦＦＣケーブル２０の端子部２１を半田付けすることができる。これにより、半田付け面１０ａの端子部１１に対してＦＦＣケーブル２０の端子部２１を手で固定して半田付けする場合に比べて、容易に、半田付け面１０ａの端子部１１にＦＦＣケーブル２０の端子部２１を半田付けすることができる。
【００３８】
また、本実施形態では、ＦＦＣケーブル２０の端子部２１を、半田付け面１０ａの端子部１１に対して実質的に直交した状態で半田付けすることによって、配線基板１０の半田付け面１０ａに対してＦＦＣケーブル２０が線状に接触させた状態で半田付けすることができる。これにより、配線基板１０の半田付け面１０ａに対してＦＦＣケーブル２０を面状に接触させた状態で半田付けする場合に比べて、半田付け部のスペース（平面積）を小さくすることができるので、半田付け部の省スペース化をより図ることができる。
【００３９】
また、本実施形態では、補強板２２の抜け止め部２２ａを、補強板２２のＦＦＣケーブル２０の端子部２１に対応する部分から両側方に突出するように設けることによって、抜け止め部２２ａをＦＦＣケーブル２０の端子部２１の一方の側面のみに突出するように設ける場合に比べて、ＦＦＣケーブル２０に対する引っ張り力を抜け止め部２２ａにより、充分に受け止めることができる。これにより、ＦＦＣケーブル２０の端子部２１に応力が加わるのをより抑制することができる。
【００４０】
また、本実施形態では、ＦＦＣケーブル２０の端子部２１を、半田付け時に、配線基板１０の半田付け面１０ａに隣接する挿入孔１０ｃの内部まで延びるように配置することによって、半田付け面１０ａの挿入孔１０ｃの内部まで延びるように配置されているＦＦＣケーブル２０の端子部２１を、配線基板１０の半田付け面１０ａの端子部１１に対して半
田付けする際に、半田付け面１０ａの挿入孔１０ｃとＦＦＣケーブル２０の端子部２１との間の隙間を半田により埋め込むことができる。これにより、半田付け面１０ａの挿入孔１０ｃとＦＦＣケーブル２０との間の隙間に起因して、配線基板１０の挿入孔１０ｃに対してＦＦＣケーブル２０が動くのを抑制することができる。このため、配線基板１０の挿入孔１０ｃ内でＦＦＣケーブル２０が動くことに起因して半田付け部に応力が加わるのを抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明のフレキシブルフラットケーブルと配線基板との接続構造をＤＶＤ駆動装置付きテレビジョンに使用した例を示したが、本発明はこれに限らず、フレキシブルフラットケーブルと配線基板との接続構造を使用する装置であれば、ビデオ駆動付きテレビジョンやステレオ装置などの他の装置にも使用可能である。
【００４３】
また、上記実施形態では、本発明の平坦なフィルム状の配線を有するフレキシブルフラットケーブルの一例としてのフレキシブルフラットケーブルと配線基板との接続構造を示したが、本発明はこれに限らず、平坦なフィルム状の配線を有するフレキシブルフラットケーブルであれば、フレキシブルフラットケーブル（ＦＦＣ）以外のフレキシブルケーブルと配線基板との接続構造にも適用可能である。
【図面の簡単な説明】
【００４４】
【図１】本発明の一実施形態によるフレキシブルフラットケーブルと配線基板との接続構造の構成を示した斜視図である。
【図２】図１に示した一実施形態によるフレキシブルフラットケーブルと配線基板との接続構造をＰ方向から見た斜視図である。
【図３】図１に示した一実施形態によるフレキシブルフラットケーブルと配線基板との接続構造の斜視図である。
【図４】図１に示した一実施形態によるフレキシブルフラットケーブルと配線基板との接続構造の平面図である。
【図５】図１に示した一実施形態によるフレキシブルフラットケーブルと配線基板との接続構造の断面図である。
【図６】図１に示した一実施形態によるフレキシブルフラットケーブルと配線基板との接続構造の断面図である。
【図７】図１に示した一実施形態によるフレキシブルフラットケーブルと配線基板との接続構造の正面図である。
【図８】図１に示した一実施形態によるフレキシブルフラットケーブルと配線基板との接続構造の背面図である。
【図９】図１に示したフレキシブルフラットケーブルと配線基板との接続構造を含むＤＶＤ駆動装置付きテレビジョンの全体斜視図である。
【図１０】図９に示したＤＶＤ駆動装置付きテレビジョンの分解斜視図である。
【図１１】図９に示したＤＶＤ駆動装置付きテレビジョンの構造の詳細を説明するための図である。
【図１２】図９に示したＤＶＤ駆動装置付きテレビジョンの構造の詳細を説明するための図である。
【図１３】従来のフレキシブルフラットケーブルと配線基板との接続構造を示した斜視図である。
【図１４】図１３に示した従来のフレキシブルフラットケーブルと配線基板との接続構造の分解斜視図である。
【図１５】図１３に示した従来のフレキシブルフラットケーブルと配線基板との接続構造の平面図である。
【図１６】図１３に示した従来のフレキシブルフラットケーブルと配線基板との接続構造の底面図である。
【符号の説明】
【００４５】
１０  プリント回路基板（配線基板）
１０ａ  半田付け面
１０ｃ  挿入孔
１１  端子部（第１端子部）
２０  ＦＦＣケーブル  
２１  端子部（第２端子部）
２２  補強板
２２ａ  抜け止め部
【図１】
2006228768.tif 000003
【図２】
2006228768.tif 000004
【図３】
2006228768.tif 000005
【図４】
2006228768.tif 000006
【図５】
2006228768.tif 000007
【図６】
2006228768.tif 000008
【図７】
2006228768.tif 000009
【図８】
2006228768.tif 000010
【図９】
2006228768.tif 000011
【図１０】
2006228768.tif 000012
【図１１】
2006228768.tif 000013
【図１２】
2006228768.tif 000014
【図１３】
2006228768.tif 000015
【図１４】
2006228768.tif 000016
【図１５】
2006228768.tif 000017
【図１６】
2006228768.tif 000018